(57)【要約】【課題】陳列室内の照明による冷却効率の低下を解消し、少ないスペースにて照明を実現し、断熱壁の厚さ寸法を適切に確保する。【解決手段】本発明の低温ショーケースＲは、断熱箱体２内に構成された陳列室６にて商品を冷却しながら陳列するものであって、断熱箱体２外から陳列室６内に渡って設けられた導光部材３３と、断熱箱体２外に設けられた光源３０、３１とを備え、導光部材３３は、光入射部４２と、この光入射部４２から入射された光を放射する光放射面３６とを有し、この光放射面３６は陳列室６内に位置し、光入射部４２は断熱箱体２外に位置して光源３０、３１に対向している。【選択図】図５
2011245214.tif 000002
【特許請求の範囲】
【請求項１】
断熱箱体内に構成された陳列室にて商品を冷却しながら陳列する低温ショーケースにおいて、
前記断熱箱体外から前記陳列室内に渡って設けられた導光部材と、
前記断熱箱体外に設けられた光源とを備え、
前記導光部材は、光入射部と、該光入射部から入射された光を放射する光放射面とを有し、該光放射面は前記陳列室内に位置し、前記光入射部は前記断熱箱体外に位置して前記光源に対向していることを特徴とする低温ショーケース。
【請求項２】
前記光源は、ＬＥＤ素子にて構成されていることを特徴とする請求項１に記載の低温ショーケース。
【請求項３】
前記導光部材は、前記陳列室内に配置され、前記光放射面を有する第１の導光部と、前記断熱箱体を貫通するかたちで当該断熱箱体の断熱材内に埋設され、前記光入射部を有する第２の導光部とを有し、
前記第１の導光部と第２の導光部とが前記陳列室内にて光学的連結されていることを特徴とする請求項１又は請求項２に記載の低温ショーケース。
【請求項４】
前記光源を前記断熱箱体の下側に構成された機械室内に設けたことを特徴とする請求項１乃至請求項３のうちの何れかに記載の低温ショーケース。
【請求項５】
前記光源を前記断熱箱体の上側及び下側にそれぞれ設け、前記導光部材の上下端には、上下の前記光源にそれぞれ対向する前記光入射部が構成されていることを特徴とする請求項１乃至請求項４のうちの何れかに記載の低温ショーケース。
【請求項６】
前記断熱箱体は前面が開口しており、前記導光部材は前記断熱箱体の開口近傍の前記陳列室内に設けられると共に、前記光放射面には、該光放射面より放射される光を斜め後方に指向させるシェードが被覆されていることを特徴とする請求項１乃至請求項５のうちの何れかに記載の低温ショーケース。
【発明の詳細な説明】
【技術分野】
【０００１】
本発明は、断熱箱体内に構成された陳列室にて商品を冷却しながら陳列する低温ショーケースであって、特に、陳列室内の照明に関する。
【背景技術】
【０００２】
従来より、スーパーマーケットやコンビニエンスストア等の店舗に設置されるショーケースには、内部に商品を陳列するための陳列室が形成されており、当該陳列室内を圧縮機や凝縮器、蒸発器などから構成される冷却装置によって、所定の温度に冷却している。係るショーケースには、陳列室内に位置して当該陳列室内に陳列される商品を照明するための蛍光灯が設けられている（例えば特許文献１参照）。
【０００３】
図８及び図９は、従来のショーケースの蛍光灯の取付状態を示している。図８はショーケース１００の部分上方斜視図であり、図９はショーケース１００の部分横断平面図を示している。この場合、断熱箱体１０１内には前面に開口する陳列室１０２が構成され、この陳列室１０２の前面開口は内部を透視可能なガラス扉１０３にて閉塞されている。そして、断熱箱体１０１の前面開口近傍の陳列室１０２内には、上下に渡って蛍光灯１０５を収容するための溝１０６が形成されており、当該溝１０６内に蛍光灯１０５が埋設されている。そして、この溝１０６の陳列室１０２側の開口は、蛍光灯１０５が収容された状態で、光を透過可能とするシェード１０７により閉塞されている。
【先行技術文献】
【特許文献】
【０００４】
【特許文献１】特開２００２−５４８７３号公報
【発明の概要】
【発明が解決しようとする課題】
【０００５】
しかしながら、上述したように陳列室１０２内に蛍光灯１０５を埋設して、陳列室１０２内を照明する構成では、蛍光灯１０５自体が通電により発熱するため、商品を冷却しながら陳列するショーケースにおいて、当該発熱量をも考慮して冷却装置を運転しなければならず、低温ショーケース１００の冷却能力の低下を招く。
【０００６】
また、断熱箱体１０１自体に溝１０６を形成するため、当該箇所における断熱材の厚さ寸法が著しく低減され、場合によっては適正な厚さ寸法の半分以下にまで薄くなり、断熱性能が確保されない問題がある。
【０００７】
また、蛍光灯１０５自体が発熱することから安全面を考慮し、蛍光灯１０５が収容される溝１０６は、蛍光灯１０５の外面から所定寸法以上の間隔を形成しなければならず、より断熱材が薄くなり、断熱性の低下を招来する。
【０００８】
そこで、少しでも断熱材を確保すべく、蛍光灯１０５を陳列室１０２側に変位させて配置すると、蛍光灯１０５及びそれを被覆するシェード１０７が大きく陳列室１０２側に突出することとなり、陳列室１０２内の陳列スペースの狭小化や、デッドスペースが形成されるという不都合が生じる。
【０００９】
また、取り付けられる蛍光灯は、規格品であるため、陳列室１０２の上端部から下端部に渡った取付ができず、結果として陳列室１０２内上部や下部が暗くなるという問題がある。更に、当該蛍光灯は、照度が設置される箇所の温度に依存するため、低温箇所に設置されることで、照度が低下する問題がある。
【００１０】
本発明は従来の技術的課題を解決するためになされたものであり、陳列室内の照明による冷却効率の低下を解消し、少ないスペースにて照明を実現し、断熱壁の厚さ寸法を適切に確保することができる低温ショーケースを提供する。
【課題を解決するための手段】
【００１１】
上記課題を解決するために、本発明の低温ショーケースは、断熱箱体内に構成された陳列室にて商品を冷却しながら陳列するものであって、断熱箱体外から陳列室内に渡って設けられた導光部材と、断熱箱体外に設けられた光源とを備え、導光部材は、光入射部と、この光入射部から入射された光を放射する光放射面とを有し、この光放射面は陳列室内に位置し、光入射部は断熱箱体外に位置して光源に対向していることを特徴とする。
【００１２】
請求項２の発明は、上記発明において、光源は、ＬＥＤ素子にて構成されていることを特徴とする。
【００１３】
請求項３の発明は、上記各発明において、導光部材は、陳列室内に配置され、光放射面を有する第１の導光部と、断熱箱体を貫通するかたちで当該断熱箱体の断熱材内に埋設され、光入射部を有する第２の導光部とを有し、第１の導光部と第２の導光部とが陳列室内にて光学的連結されていることを特徴とする。
【００１４】
請求項４の発明は、上記各発明において、光源を断熱箱体の下側に構成された機械室内に設けたことを特徴とする。
【００１５】
請求項５の発明は、上記各発明において、光源を断熱箱体の上側及び下側にそれぞれ設け、導光部材の上下端には、上下の光源にそれぞれ対向する光入射部が構成されていることを特徴とする。
【００１６】
請求項６の発明は、上記各発明において、断熱箱体は前面が開口しており、導光部材は断熱箱体の開口近傍の陳列室内に設けられると共に、光放射面には、この光放射面より放射される光を斜め後方に指向させるシェードが被覆されていることを特徴とする。
【発明の効果】
【００１７】
本発明によれば、断熱箱体内に構成された陳列室にて商品を冷却しながら陳列する低温ショーケースにおいて、断熱箱体外から陳列室内に渡って設けられた導光部材と、断熱箱体外に設けられた光源とを備え、導光部材は、光入射部と、この光入射部から入射された光を放射する光放射面とを有し、この光放射面は陳列室内に位置し、光入射部は断熱箱体外に位置して光源に対向していることにより、断熱箱体外に設けられた光源からの光を光入射部より導光部材内に入射させ、陳列室内に位置する光放射面より当該光を放射させて、これにより陳列室内を照明することができる。
【００１８】
陳列室内を照明する光源を、断熱箱体外に設けることで、当該光源自体からの発熱が陳列室内に持ち込まれることによる冷却効率の低下を著しく解消することができる。これにより、低温ショーケース全体の省エネを実現することができる。
【００１９】
また、陳列室内には光源が設けられず、断熱箱体外に設けられた光源からの光を陳列室内に位置する光放射面に導く導光部材のみが設けられるため、従来の如く蛍光灯を取り付ける場合と比較して、取付箇所における断熱箱体の断熱材の厚さ寸法を厚く確保することが可能となり、断熱性能の向上を図ることができる。
【００２０】
更に、当該導光部材は、蛍光灯のような規格品ではないため、陳列室内の寸法に応じて構成することが可能となり、陳列室内上部や下部などにおいても光を放射でき、陳列室内全体を明るく照明することが可能となる。また、蛍光灯のような低温による照度低下を生じないため、陳列室内を冷凍などの低温に冷却して使用する低温ショーケースにおいて特に有効となる。
【００２１】
請求項２の発明によれば、上記発明に加えて、光源は、ＬＥＤ素子にて構成されているため、他の光源に比べて高い指向性を実現でき、導光部材の光入射部から入射された光を効果的に光放射面から放射することが可能となる。
【００２２】
請求項３の発明によれば、上記各発明に加えて、導光部材は、陳列室内に配置され、光放射面を有する第１の導光部と、断熱箱体を貫通するかたちで当該断熱箱体の断熱材内に埋設され、光入射部を有する第２の導光部とを有し、第１の導光部と第２の導光部とが陳列室内にて光学的に連結されていることにより、導光部材が、陳列室内にて光を放射する第１の導光部と、断熱箱体を貫通する第２の導光部とから構成されることで、一体に構成されたものを断熱箱体に取り付ける場合に比して、容易に製造することが可能となる。
【００２３】
特に、断熱箱体の上下に渡って導光部材を構成する場合、導光部材の上部と下部は、断熱材内に埋設されることとなるが、断熱箱体の製造時における断熱材が発泡充填される際、導光部材の上下部分に当該発泡圧力が加わり、これによって、導光部材が変形、若しくは、破損してしまうが、このように、断熱箱体内に埋設される第２の導光部と、光を陳列室内に放射する第１の導光部との複数部品にて構成することで、係る不都合を未然に解消することができる。
【００２４】
請求項４の発明によれば、上記各発明に加えて、光源を断熱箱体の下側に構成された機械室内に設けたことにより、支障なく断熱箱体外に光源を配設し、メンテナンス作業性を容易とすることができる。また、光源への通電による発熱は、機械室内に配設される他の機器からの発熱と共に、廃熱処理することができる。
【００２５】
また、請求項５の発明によれば、上記各発明に加えて、光源を断熱箱体の上側及び下側にそれぞれ設け、導光部材の上下端には、上下の光源にそれぞれ対向する光入射部が構成されているので、導光部材の上下端に形成された光入射部より光源からの光を入射させて、陳列室内に位置する放射面より放射させることができる。
【００２６】
これにより、導光部材の対向する上下端の光入射部から光を入射させることが可能となるため、導光部材の光放射面全体から効果的に光を放射でき、陳列室内の照明を上下に渡って支障なく行うことが可能となる。
【００２７】
請求項６の発明によれば、上記各発明に加えて、断熱箱体は前面が開口しており、導光部材は断熱箱体の開口近傍の陳列室内に設けられると共に、光放射面には、この光放射面より放射される光を斜め後方に指向させるシェードが被覆されているので、光放射面から放射される光を効果的に陳列室内に陳列される商品に向けて照射することが可能となる。これにより、効果的な商品照明を実現できる。
【００２８】
また、陳列室の開口側に光が照射されることを抑止でき、商品選択を行う顧客等が眩しいと感じる不都合を回避することができる。
【図面の簡単な説明】
【００２９】
【図１】本発明を適用した低温ショーケースの斜視図である。
【図２】図１の低温ショーケースの縦断側面図である。
【図３】断熱箱体上部の照明装置部分の拡大斜視図である。
【図４】断熱箱体下部の照明装置部分拡大斜視図である。
【図５】断熱箱体上部の照明装置部分拡大縦断正面図である。
【図６】断熱箱体の照明装置部分拡大横断平面図である。
【図７】図６の部分拡大図である。
【図８】ショーケースの部分上方斜視図である。
【図９】ショーケースの部分横断平面図である。
【発明を実施するための形態】
【００３０】
以下、図面に基づき本発明の実施の形態について、詳細に説明する。図１は本発明を適用した低温ショーケースＲの斜視図、図２は図１の低温ショーケースＲの縦断側面図をそれぞれ示している。本実施例の低温ショーケースＲは、例えば、スーパーマーケットやコンビニエンスストアの店舗に設置される冷凍或いは冷蔵用の低温ショーケースであり、前面に開口する矩形状の断熱箱体２により本体が構成されている。この断熱箱体２は、前面に開口を有した鋼板製の外箱３と、前面に開口を有する内箱４とこれら内外両箱３、４間に現場にて発泡充填される断熱材５とから構成されている。
【００３１】
そして、断熱箱体２内には、前面に開口する陳列室６が形成され、当該陳列室６の前面開口７は、内部を透視可能な透明材料としてのガラス８を備えた扉９により開閉自在に閉塞されている。扉９は一側端が断熱箱体２の側部に回動自在に枢支された開き扉とされている。また、陳列室６内には商品を載置するための複数段の棚１１・・が架設されている。尚、当該棚１１は、陳列室６内壁を構成する両側面の前部及び後部に位置して上下に渡って設けられ、所定間隔を存して複数の係合孔が形成される棚支柱１２に着脱自在に架設される。
【００３２】
断熱箱体２の底面には、所定の高さを有する台脚アングル１３が取り付けられており、当該台脚アングル１３の両側面は、断熱箱体２の両側面と共に化粧パネル１４にて被覆されている。これにより、断熱箱体２の下方に機械室１５が形成される。また、断熱箱体２の底壁２Ａには、断熱材５を貫通するかたちで図示しない冷気吸込口及び冷気吐出口が前後に形成されている。
【００３３】
機械室１５の天井となる断熱箱体２の底壁２Ａ下面には、上面に開口を有する冷却箱２０が当接して設けられる。この冷却箱２０の内部には、冷却室２１が形成され、冷却装置を構成する蒸発器２２及び当該蒸発器２２の近傍に冷気循環用送風機１９が配設される。尚、この冷却箱２０の上面開口には、断熱箱体２側の冷気吸込口及び冷気吐出口に対応する冷気吸込口及び冷気吐出口が形成されている。
【００３４】
他方、断熱箱体２の背壁２Ｂの内方には、底壁２Ａに形成された冷気吐出口と陳列室６の上部とを連通するダクト１６を構成する仕切板１７が取り付けられている。この仕切板１７には、冷気循環用送風機１９から吐出された冷気を陳列室６内に供給するための図示しない複数の開口が形成されている。これにより、陳列室６内に冷気の供給が効果的に行われ、当該陳列室６内の商品は冷却しながら陳列される。
【００３５】
一方、前記機械室１５内には、取付台２３が収容されており、この取付台２３には、前記蒸発器２２と共に冷却装置を構成する圧縮機２４や凝縮器２５及び凝縮器用送風機２６と、図示しない電装箱などが配設されている。取付台２３上の圧縮機２４や凝縮器２５等は、冷却箱２０内の蒸発器２２と冷媒配管にて接続され、周知の冷凍サイクルを構成している。
【００３６】
機械室１５の前面開口には、通風口２７Ａが形成された前面パネル２７が開閉自在に閉塞されている。これにより、凝縮器用送風機２６が運転されると、機械室１５後方空吸い込まれた外気は、機械室１５内を循環して、圧縮機２４や凝縮器２５等を冷却した後、前面パネル２７の通風口２７Ａより排気される。
【００３７】
次に、陳列室６内を照明する照明装置３０について図３乃至図７を参照して説明する。図３は断熱箱体２上部の照明装置３０部分の拡大斜視図、図４は断熱箱体２下部の照明装置３０部分拡大斜視図、図５は断熱箱体２上部の照明装置３０部分拡大縦断正面図、図６は断熱箱体２の照明装置３０部分拡大横断平面図、図７は図６の部分拡大図をそれぞれ示している。
【００３８】
本実施例における照明装置３０は、断熱箱体２外に設けられた光源３１、３２と、第１及び第２の導光部３５、４０、４１から成る導光部材３３とから構成され、それぞれ断熱箱体２の前面開口７近傍の両側部に上下に延在して設けられる。
【００３９】
本実施例において光源３１、３２は、チップタイプの白色ＬＥＤ素子を複数個並設して構成される。光源３１は、断熱箱体２の外側（陳列室６外。庫外）に位置する断熱箱体２の上側に設けられ、光源３２は、同じく断熱箱体２の外側に位置する断熱箱体２の下側に設けられ、何れも断熱箱体２側に向けて光を照射するように配設される。
【００４０】
断熱箱体２の上側に配設される光源３１は、断熱箱体２の前面開口７近傍に相当する上面前部に配設されて、当該断熱箱体２の上側前面を開閉自在に被覆する前面パネル２８によって隠蔽される。断熱箱体２の下側に配設される光源３２は、断熱箱体２の前面開口７近傍に相当する機械室１５内前部に設けられ、他の圧縮機２４と同様に、前面パネル２７にて開閉自在に隠蔽される。
【００４１】
導光部材３３は、陳列室６内に配置され、当該陳列室６内に臨む面（対向する面）が光放射面３６とされる第１の導光部３５と、断熱箱体２の上壁２Ｃ、又は、底壁２Ａを貫通するかたちで当該断熱箱体２の断熱材５内に埋設され、光源３１又は３２からの光を入射する光入射部４２を有する第２の導光部４０、４１とから構成される。第１の導光部３５と、この導光部３５の上下それぞれに、陳列室６内にて光学的に第２の導光部４０、４１が連結されることにより、導光部材３３は、断熱箱体２外から陳列室６内に渡って設けられる。
【００４２】
第１の導光部３５は、陳列室６内に上下に渡って延在する透光性を有する導光板にて構成され、本実施例では、断熱箱体２の前面開口７近傍の陳列室６の内壁面（側壁内面）４８に上下に渡って延在して凹陥して形成された導光部材収納部４９内に配設される。本実施例では、第１の導光部３５は、光放射面３６が陳列室６内方に臨んで状態で導光部材収納部４０内に配設され、この光放射面３６側に後述するシェード５０が取り付けられた状態で、その陳列室６側の面は、図６に示すように、陳列室６の内壁面４８と略面一とされる。
【００４３】
そして、本実施例における第１の導光部３５は、透明な熱可塑性樹脂板、例えば、アクリル樹脂、メタクリル樹脂、ポリカーボネート樹脂、ポリ塩化ビニル樹脂、非晶性ポリエステル樹脂、非晶性オレフィン系樹脂等にて構成されており、光放射面３６と対向する面は、圧熱プレスにて凸状のドット加工が施された光拡散面３７とされている。本実施例では、凸状のドット加工により光拡散面３７を構成しているが、これに限定されるものではなく、第２の導光部４０、４１を介して入射した光を乱反射させ拡散するための構造であれば、例えば、磨りガラス形状や複数条の溝や筋、傷などによって形成しても良い。
【００４４】
光放射面３６と、第２の導光部４０、４１と光学的に連結される端面３９以外の面、即ち、この光拡散面３７側の面、及び、導光部材収納部４９を構成する内壁に対向する面には、当該第１の導光部３５内に入射された光を他に漏洩させることなく効率的に光放射面３６から放射させるための反射手段が施されている。本実施例では、当該第１の導光部３５を収容保持する取付部材３８の内面に光反射面を構成し、当該取付部材３８に収容した状態で、導光部材収納部４９へ取り付ける。尚、この反射手段は、これに限られるものではなく、光反射効率の高い塗料の塗布や、光反射効率の高い材料にて構成された反射板を当接させて設けるものとしても良い。
【００４５】
また、この取付部材３８内に収容された第１の導光部３５の光放射面３６には、シェード５０が被覆されている。このシェード５０は、例えば乳白色の光透過性（透光性）材料にて構成されており、図７に示すように、陳列室６側の面が平坦とされていると共に、第１の導光部３５側の面５０Ａは、光放射面３６より放射される光を斜め後方に指向するため、所定角度で傾斜した波状に形成されている。
【００４６】
一方、第２の導光部４０、４１は、それぞれ断熱箱体２の上壁２Ｃ又は底壁２Ａを貫通する透光性を有する導光板にて構成されている。ここで、各導光部４０、４１は、略同様の構成とされるため、図５を参照し断熱箱体２上部に設けられる第２の導光部４０を例に挙げて説明する。
【００４７】
第２の導光部４０の上端（断熱箱体２の外面側）は、断熱箱体２の上壁２Ｃの上面から所定寸法だけ突出し、その端面が断熱箱体２の上側（外側）に設けられる光源３１と対向し、光源３１からの光を入射させる光入射部４２とされる。第２の導光部４０の下端（陳列室６内側）は、断熱箱体２の上壁２Ｃの下面（陳列室６内壁面）から所定寸法だけ突出し、その端面が陳列室６内に配設される第１の導光部３５の上端の端面３９と対向し、当該第２の導光部４０内に入射された光を第１の導光部３５に入射させる光放射部４３とされる。
【００４８】
当該第２の導光部４０は、断熱箱体２の外側に設けられた光源３１からの光を陳列室６内に配設される第１の導光部３５に入射させるものであり、当該光入射部４２及び光放射部４３が形成される以外の面は、上記同様、反射手段が施されている。
【００４９】
以上の構成により、照明装置３０を当該断熱箱体２に配設する場合には、先ず、断熱箱体２の組立作業時に、断熱箱体２の上壁２Ｃ及び底壁２Ａの対応する位置に各第２の導光部４０、４１を貫通させた状態とし、その状態で、断熱材５を現場発泡充填し、各第２の導光部４０、４１を断熱材５に埋設する。
【００５０】
その後、陳列室６内に形成された導光部材収納部４９に第１の導光部３５を取り付け、当該第１の導光部３５の上端面３９と断熱箱体２の上部に埋設された第２の導光部４０の光放射部４３とを対向させる。同様に、第１の導光部３５の下端面３９と断熱箱体２の下部に埋設された第２の導光部４１の光放射部４３とを対向させる。
【００５１】
この状態で、上下の対向部分を、当該部分にて他に光が漏洩しないように連結部材５１によって連結する。ここで、第１の導光部３５は、陳列室６内に上下に渡って構成される長手形状とされるため、その素材特性により熱変化による伸縮度合いが大きい。当該低温ショーケースＲは、倉庫等に置かれた状態では、温度上昇により伸張し、使用状態となり陳列室６内が冷却して使用されると、温度低下によって縮退する。
【００５２】
そのため、当該連結部材５１は、第１の導光部３５と第２の導光部４０との間に、当該伸縮度を緩衝可能に考慮した所定の間隔Ｓを存して、これら連結箇所の周囲を囲繞し、これら第１の導光部３５と第２の導光部４０とを光を透過可能に連結、即ち、光学的に連結する。
【００５３】
以上の構成により、照明装置３０の光源３１、３２が点灯されると、断熱箱体２外にて各光源３１、３２から照射された光は、先ず、対向して設けられる光入射部４２より第２の導光部４０、４１内に入射され、断熱箱体２を貫通して陳列室６内に位置する光放射部４３より対向して設けられる第１の導光部３５の上下端面３９より第１の導光部３５内に入射される。
【００５４】
第１の導光部３５内に入射された光は、光源３１、３２からの照射方向に進入すると共に、当該第１の導光部３５の光拡散面３７にて拡散され、更に、取付部材３８内面の光反射面より反射されて、陳列室６側の面に形成された光放射面３６から放射される。これにより、陳列室６内は、前面開口７近傍において両側部に設けられる照明装置３０の光放射面３６からの光によって照明される。
【００５５】
このように、本実施例における照明装置３０は、陳列室６内を照明する光源３１、３２を、断熱箱体２外に設けることで、当該光源自体からの発熱が陳列室６内に持ち込まれることによる冷却効率の低下を著しく解消することができる。これにより、低温ショーケースＲ全体の省エネを実現することができる。
【００５６】
また、陳列室６内には光源３０、３１が設けられず、断熱箱体２外に設けられた光源からの光を陳列室６内に位置する光放射面３６に導く導光部材３３（第１の導光部３５）のみが設けられるため、従来の如く蛍光灯を取り付ける場合と比較して、取付箇所における断熱箱体の断熱材の厚さ寸法を厚く確保することが可能となり、断熱性能の向上を図ることができる。
【００５７】
また、照明装置３０自体を断熱箱体２の内壁面内に略面一に収納可能とされるため、外観の向上及び、陳列室６内の商品陳列スペースの拡張、デッドスペースの解消を行うことができる。
【００５８】
更に、当該導光部材３３を構成する第１の導光部３５は、蛍光灯のような規格品ではないため、陳列室６内の寸法に応じて構成することが可能となり、陳列室６内上部や下部などにおいても支障なく光を放射でき、陳列室６内全体を明るく照明することが可能となる。また、蛍光灯のような低温による照度低下を生じないため、陳列室６内を冷凍などの低温に冷却して使用する低温ショーケースＲにおいて特に有効となる。
【００５９】
また、本実施例では、第１の導光部３５の光放射面３６側に位置して当該光放射面３５から放射された光を斜め後方に指向させるシェード５０が被覆されているため、前面開口７近傍に位置する陳列室６内前部側方に位置する各光放射面３６から放射される光を効果的に陳列室６内に陳列される商品に向けて照射することが可能となる。これにより、効果的な商品照明を実現できる。また、陳列室６の前面開口７側に光が照射されることを抑止でき、商品選択を行う顧客等が眩しいと感じる不都合を回避することができる。
【００６０】
特に、本実施例では、上述したように、光源３０、３１を断熱箱体２の上側及び下側にそれぞれ設け、導光部材３３の上下端に相当する第２の導光部４０、４１には、上下の光源３０、３１にそれぞれ対向する光入射部４２、４２が構成されているので、各導光部４０、４１の上下端に形成された光入射部４２、４２より光源３０、３１からの光を入射させて、陳列室６内に位置する第１の導光部３５の光放射面３６より放射させることができる。
【００６１】
これにより、導光部材３３の対向する上下端の光入射部４２、４２から光を入射させることが可能となるため、導光部材３３の光放射面３６全体から効果的に光を放射でき、陳列室６内の照明を上下に渡って支障なく行うことが可能となる。
【００６２】
特に、断熱箱体２の下側に配設される光源３２は、断熱箱体２の下側に構成された機械室１５内に配設されるため、支障なく断熱箱体２外に光源３２を配設し、メンテナンス作業性を容易とすることができる。また、光源２１への通電による発熱は、機械室１５内に配設される他の機器からの発熱と共に、廃熱処理することができる。
【００６３】
また、本実施例では、光源３１としてＬＥＤ素子を採用しているため、他の光源に比べて高い指向性を実現でき、導光部材３３の光入射部４２から入射された光を効果的に光放射面３６から放射することが可能となる。
【００６４】
また、ＬＥＤ素子は、蛍光灯照明に比べて、耐用年数が長く、交換メンテナンス等を不要とすることが可能となると共に、消費電力を低く抑えることが可能となる。従って、全体としてのコストの低減を図ることが可能となる。
【００６５】
また、上記実施例において、導光部材３３は、陳列室６内にて光を放射する第１の導光部３５と、断熱箱体２を貫通する第２の導光部４０、４１とから構成されることで、一体に構成されたものを断熱箱体２に取り付ける場合に比して、容易に製造することが可能となる。
【００６６】
特に、断熱箱体２の上下に渡って導光部材３３を構成する場合、導光部材３３の上部と下部は、断熱材５内に埋設されることとなるが、断熱箱体２の製造時における断熱材が発泡充填される際、導光部材の上下部分に当該発泡圧力が加わり、これによって、導光部材が変形、若しくは、破損してしまうが、このように、光を陳列室内に放射する第１の導光部３５と、断熱箱体２内に埋設される第２の導光部４０、４１との複数部品にて構成することで、係る不都合を未然に解消することができる。
【００６７】
また、陳列室６内の温度変化により、導光部材３３の第１の導光部３５が伸縮した場合であっても、連結部材５１によって、当該伸縮を緩衝しつつ第１の導光部３５と第２の導光部４０、４１とが光学的に連結されるため、当該第１の導光部３５の破損等を未然に回避することが可能となる。
【符号の説明】
【００６８】
Ｒ    低温ショーケース
２    断熱箱体
２Ａ  底壁
２Ｂ  背壁
２Ｃ  上壁
３    外箱
４    内箱
５    断熱材
６    陳列室
７    前面開口
１５    機械室
３０    照明装置
３１、３２  光源
３３    導光部材
３５    第１の導光部
３６    光放射面
３７    光拡散面
３８    取付部材（反射面）
３９    端面
４０、４１  第２の導光部
４２    光入射部
４３    光放射部
４８    内壁面（側壁内面）
４９    導光部材収納部
５０    シェード
５０Ａ  面
５１    連結部材
【図１】
2011245214.tif 000003
【図２】
2011245214.tif 000004
【図３】
2011245214.tif 000005
【図４】
2011245214.tif 000006
【図５】
2011245214.tif 000007
【図６】
2011245214.tif 000008
【図７】
2011245214.tif 000009
【図８】
2011245214.tif 000010
【図９】
2011245214.tif 000011